(57)【要約】【課題】フードハウジングに外力が加わった際に、フードハウジングの変形を抑制することが可能なコネクタおよびコネクタ組立体を提供すること。【解決手段】コネクタ２０は、少なくとも１本の端子と、端子を保持するコアハウジング２１０と、コアハウジングの周囲を所定の間隙を隔てて包囲するフードハウジング２２０と、コアハウジングおよびフードハウジングの少なくとも一方から、フードハウジングまたはコアハウジングの対向する部分に向けて所定高さ突出した少なくとも１つのリブ２２８と、を有する。【選択図】図１
2020030987.tif 000002
【特許請求の範囲】
【請求項１】
少なくとも１本の端子と、
前記端子を保持するコアハウジングと、
前記コアハウジングの周囲を所定の間隙を隔てて包囲するフードハウジングと、
前記コアハウジングおよび前記フードハウジングの少なくとも一方から、前記フードハウジングまたは前記コアハウジングの対向する部分に向けて所定高さ突出した少なくとも１つのリブと、
を有するコネクタ。
【請求項２】
前記リブが前記コアハウジングまたは前記フードハウジングの、コネクタ接続方向に対して垂直な方向における中央部に形成される請求項１記載のコネクタ。
【請求項３】
前記コアハウジングが１つのフードハウジングの中に複数形成されており、
前記リブはコアハウジングの数と同数形成される請求項１記載のコネクタ。
【請求項４】
前記コアハウジングが１つのフードハウジングの中に複数形成されており、
前記リブは、それぞれのコアハウジングに対して、コネクタ接続方向に対して垂直な方向における中心側に形成される請求項３記載のコネクタ。
【請求項５】
少なくとも１本の第１端子と、
前記第１端子を保持するコアハウジングと、
前記コアハウジングの周囲を所定の間隙を隔てて包囲するフードハウジングと、
前記コアハウジングおよび前記フードハウジングの少なくとも一方から、前記フードハウジングまたは前記コアハウジングの対向する部分に向けて所定高さ突出した少なくとも１つのリブと、
を有する雌コネクタと、
前記フードハウジングと前記コアハウジングの間の間隙に挿入可能な形状、大きさの雄コネクタハウジングと、
前記雄コネクタハウジングに配置され、前記第１端子に接続可能な第２端子と、を備え、
前記雄コネクタハウジングに、前記リブの形状に対応した凹部が形成されている、雄コネクタと、
を有する雄コネクタと、を備えるコネクタ組立体。
【発明の詳細な説明】
【技術分野】
【０００１】
本発明は、コネクタおよびコネクタ組立体、特に、ハウジングに加わる応力に耐えうるように設計されたコネクタおよびコネクタ組立体に関する。
【背景技術】
【０００２】
下記特許文献１には、半嵌合状態を検知でき、耐震構造を有するコネクタが開示されている。このコネクタの雌型ハウジングは、外周囲が略細長矩形状の上下壁および左右の側壁で囲まれて内部に所定大きさの空間が設けられた筒状体であって、当該空間の奧部が後壁で閉鎖されている。さらに、空間内には、コンタクトが装着される棒状の内部突出部が後壁から開口方向へ所定長さ延設された構造となっている。
【先行技術文献】
【特許文献】
【０００３】
【特許文献１】特開２０１１−１７５８６７号公報
【発明の概要】
【発明が解決しようとする課題】
【０００４】
しかしながら、上記特許文献１に記載された構造のコネクタにおいて、小型化を目的としてハウジングの肉厚を薄くすると、ハウジングに外力が加わった場合に、ハウジングの上下壁や側壁が応力によって撓み変形、損傷する可能性がある。
【０００５】
したがって、本発明は、コアハウジングとフードハウジングを含むコネクタにおいてフードハウジングに外力が加わった際に、フードハウジングの変形を抑制することが可能なコネクタおよびコネクタ組立体を提供することを目的とする。
【課題を解決するための手段】
【０００６】
本発明は、
少なくとも１本の端子と、
前記端子を保持するコアハウジングと、
前記コアハウジングの周囲を所定の間隙を隔てて包囲するフードハウジングと、
前記コアハウジングおよび前記フードハウジングの少なくとも一方から、前記フードハウジングまたは前記コアハウジングの対向する部分に向けて所定高さ突出した少なくとも１つのリブと、
を有するコネクタである。
【０００７】
また、本発明の一態様は、本発明の上記態様において、前記リブが前記コアハウジングまたは前記フードハウジングの、コネクタ接続方向に対して垂直な方向における中央部に形成されることを特徴とする。
【０００８】
また、本発明の一態様は、本発明の上記態様において、前記コアハウジングが１つのフードハウジングの中に複数形成されており、前記リブはコアハウジングの数と同数形成されることを特徴とする。
【０００９】
また、本発明の一態様は、本発明の上記態様において、前記コアハウジングが１つのフードハウジングの中に複数形成されており、前記リブは、それぞれのコアハウジングに対して、コネクタ接続方向に対して垂直な方向における中心側に形成されることを特徴とする。
【００１０】
さらに、本発明は、
少なくとも１本の第１端子と、
前記第１端子を保持するコアハウジングと、
前記コアハウジングの周囲を所定の間隙を隔てて包囲するフードハウジングと、
前記コアハウジングおよび前記フードハウジングの少なくとも一方から、前記フードハウジングまたは前記コアハウジングの対向する部分に向けて所定高さ突出した少なくとも１つのリブと、
を有する雌コネクタと、
前記フードハウジングと前記コアハウジングの間の間隙に挿入可能な形状、大きさの雄コネクタハウジングと、
前記雄コネクタハウジングに配置され、前記第１端子に接続可能な第２端子と、を備え、
前記雄コネクタハウジングに、前記リブの形状に対応した凹部が形成されている、雄コネクタと、
を有する雄コネクタと、を備えるコネクタ組立体である。
【発明の効果】
【００１１】
上記本発明の第１の態様によれば、コネクタを構成するフードハウジングに外力が加わった際に、フードハウジングの変形を抑制することが可能となる。
【００１２】
上記本発明の第２の態様によれば、フードハウジングの、外力によって最も大きく変形する可能性のある部分の撓みを抑制することが可能となる。
【００１３】
上記本発明の第３の態様によれば、複数のコアハウジングを有する場合にも、フードハウジングの変形を抑制することが可能となる。
【００１４】
また、上記本発明の第４の態様によれば、複数のコアハウジングを有する場合に、フードハウジングの、外力によって最も大きく変形する可能性のある部分の撓みを抑制することが可能となる。
【００１５】
また、本発明の第５の態様によれば、雌コネクタを構成するフードハウジングに外力が加わった際に、フードハウジングの変形を抑制することが可能となる。
【図面の簡単な説明】
【００１６】
【図１】本実施形態のコネクタ組立体１０の外観斜視図である。
【図２】図１のコネクタ組立体１０を構成する雌コネクタ２０の外観斜視図である。
【図３】図３（Ａ）は、図２の雌コネクタ２０の、コネクタ嵌合側から見た場合の正面図であり、図３（Ｂ）は、図３（Ａ）のＢ−Ｂ線断面図である。
【図４】図４は、図１のコネクタ組立体１０を構成する雄コネクタ３０をコネクタ嵌合側から見た場合の外観斜視図である。
【図５】本発明の第１変形実施形態の雌コネクタ２０Ａの外観斜視図である。
【図６】図６（Ａ）は、図５の雌コネクタ２０Ａの、コネクタ嵌合側から見た場合の正面図であり、図６（Ｂ）は、図６（Ａ）のＢ−Ｂ線断面図である。
【図７】本発明の第２変形実施形態の雌コネクタ２０Ｂの外観斜視図である。
【図８】図８（Ａ）は、図７の雌コネクタ２０Ｂの、コネクタ嵌合側から見た場合の正面図であり、図８（Ｂ）は、図８（Ａ）のＢ−Ｂ線断面図である。
【図９】本発明の第３変形実施形態の雌コネクタ２０Ｃの外観斜視図である。
【図１０】図１０（Ａ）は、図９の雌コネクタ２０Ｃの、コネクタ嵌合側から見た場合の正面図であり、図１０（Ｂ）は、図１０（Ａ）のＢ−Ｂ線断面図であり、図１０（Ｃ）は、図１０（Ａ）のＣ−Ｃ線断面図である。
【発明を実施するための形態】
【００１７】
以下、本実施形態のコネクタ組立体１０を、図１〜図４を参照して説明する。なお、以下に説明する実施形態は、本発明のコネクタ組立体１０の一例を説明するものであって、本発明をこのコネクタ組立体１０に限定するものではなく、特許請求の範囲に記載された他の形態のコネクタおよびコネクタ組立体にも等しく適用されるべきものである。
【００１８】
図１は、本実施形態のコネクタ組立体１０の外観斜視図である。図２は、図１のコネクタ組立体１０を構成する雌コネクタ２０の外観斜視図である。図３（Ａ）は、図２の雌コネクタ２０の、コネクタ嵌合側から見た場合の正面図であり、図３（Ｂ）は、図３（Ａ）のＢ−Ｂ線断面図である。図４は、図１のコネクタ組立体１０を構成する雄コネクタ３０をコネクタ嵌合側から見た場合の外観斜視図である。
【００１９】
図１に示すように、コネクタ組立体１０は、互いに嵌合される雌コネクタ２０と雄コネクタ３０より構成される。
【００２０】
雌コネクタ２０は、図２、図３に示すように、絶縁性の樹脂で形成された雌ハウジング２００、雌ハウジング２００に保持される少なくとも１本の導電性の雌端子（図示せず）を含む。なお、本実施形態においては、雌端子は２本設けられており、それぞれの雌端子にはそれぞれ導線２３０が接続される。なお、雌端子の数は単なる例示であり、他の本数であってもよい。
【００２１】
雌ハウジング２００は、コアハウジング２１０とフードハウジング２２０より構成される。フードハウジング２２０は、上板２２１、底板２２２、右側板２２３、左側板２２４によって形成される直方体形状の筒状体であり、後部が後壁２２５より閉鎖され、前側が開口部２２６により開口した構成となっている。
【００２２】
なお、本明細書において、雌コネクタ２０と雄コネクタ３０が嵌合する嵌合面側から雌コネクタ２０を見た方向、つまり図２における紙面右方向を後方向、手前方向あるいは紙面左方向を前方向と呼び、これらを総称して前後方向と呼ぶこととする。また、雌コネクタ２０の上板２２１が形成される側を上方向、底板２２２が形成されている側を下方向と呼び、これらを総称して上下方向と呼ぶ。さらに、雌コネクタ２０と雄コネクタ３０の嵌合面側から雌コネクタ２０を見た場合に、右側を右方向、左側を左方向とそれぞれ呼び、これらを総称して幅方向と呼ぶものとする。
【００２３】
コアハウジング２１０は、フードハウジング２２０の後壁２２５から開口部２２６に向かって前方向に所定長さ突出している。コアハウジング２１０は、図３（Ａ）に示すように正面視で幅方向に長尺な長方形状であり、上面２１１、下面２１２、右側面２１３、左側面２１４、および前端面２１５を有する。コアハウジング２１０の上面２１１はフードハウジング２２０の上板２２１に所定間隙を隔てて相対し、コアハウジング２１０の下面２１２はフードハウジング２２０の底板２２２に所定間隙を隔てて相対し、同様に、コアハウジング２１０の右側面２１３はフードハウジング２２０の右側板２２３に、左側面２１４は左側板２２４にそれぞれ所定間隙を隔てて相対している。これにより、フードハウジング２２０はコアハウジング２１０の周囲を所定の間隙を隔てて包囲した状態となる。なお、コアハウジング２１０の前端面２１５はフードハウジング２２０のフード前端面２２７よりも後方に位置する（図３（Ｂ））。
【００２４】
また、コアハウジング２１０には前後方向に沿って雌端子収容口（図示せず）が雌コネクタ２０に装着される雌端子と同数（本実施形態では２つ）形成され、この雌端子収容口に雌端子が収容される。また、コアハウジング２１０の前端面２１５には上述の雌端子収容口に連通した雄端子挿入口２１６が形成され、雌コネクタ２０と雄コネクタ３０が嵌合された際に、雄コネクタ３０の雄端子がここに挿入され、雌端子収容口に収容されている雌端子に接触し、電気的な接続がなされる。
【００２５】
フードハウジング２２０の底板２２２の上面には、前後方向に沿って、コアハウジング２１０の対向する部分、つまりコアハウジング２１０の下面２１２に向けて所定高さ突出したリブ２２８が設けられる。リブ２２８は、フードハウジング２２０の底板２２２の上面の、幅方向における中央部に形成される。また、リブ２２８の高さはコアハウジング２１０の下面２１２に達しない高さ、つまりリブ２２８の上端とコアハウジング２１０の下面２１２の間に間隙が形成される高さとされる。
【００２６】
なお、リブ２２８の、コネクタ接続方向に対して垂直な平面における断面形状は上下方向に若干長い長方形状であるが、本発明はこれに限定されず、正方形状であってもよいし、上方向に突出した半長円形状など他の形状であってもよい。さらに、本実施形態においては、リブ２２８は、フードハウジング２２０の前後方向における中間部分からフード前端面２２７に達する位置まで形成されている。
【００２７】
フードハウジング２２０の底板２２２の上面には、リブ２２８に対して幅方向に隣接するキー突起２２９が形成される。キー突起２２９は、リブ２２８よりも高さが低く形成される。このキー突起２２９は、フードハウジング２２０の底板２２２の、幅方向の中央から右側あるいは左側のいずれかの位置に形成され、このキー突起２２９に対応しない凹部を有する雄コネクタが開口部２２６に挿入されることを阻止する。
【００２８】
雌コネクタ２０には、さらに半嵌合検出機構２４０がフードハウジング２２０の上板２２１に組み込まれる。この半嵌合検出機構２４０は、本発明においては肝要な構成ではないので、詳細な説明は省略するものとする。
【００２９】
次に、上記雌コネクタ２０に接続される雄コネクタ３０の構造について説明する。なお、図４は雄コネクタ３０を嵌合側から見ているため、紙面上においては、図２、図３の雌コネクタ２０とは左右が逆になっている。図４に示すように、雄コネクタ３０は、絶縁性の樹脂で形成された雄ハウジング３００、雄ハウジング３００に保持される少なくとも１本の導電性の雄端子（図示せず）を含む。なお、本実施形態においては、雄端子は２本設けられており、それぞれの雄端子にはそれぞれ導線３３０が接続される。なお、雄端子の数は単なる例示であり、他の本数であってもよいが、この雄コネクタ３０が接続される雌コネクタ２０の雌端子の数と同数とされるべきである。
【００３０】
雄ハウジング３００は、基部３１０と嵌合ハウジング３２０より構成される。基部３１０は、前後方向に長尺な直方体形状であり、雄端子の基部、および雄端子に接続された導線３３０を保持する。嵌合ハウジング３２０は、基部３１０から後方に延出した上板３２１、底板３２２、右側板３２３、左側板３２４より構成される筒状の構成であり、内部に雌コネクタ２０のコアハウジング２１０を受け入れるコアハウジング受入開口３４０を形成する。
【００３１】
コアハウジング受入開口３４０の幅は、雌コネクタ２０のコアハウジング２１０の幅に略等しく、高さは、コアハウジング２１０の高さに略等しい。また、嵌合ハウジング３２０の底板３２２の下面から上板３２１の上面までの高さは、雌コネクタ２０のフードハウジング２２０の底板２２２の上面から上板２２１の下面までの高さに略等しい。さらに、嵌合ハウジング３２０の右側板３２３の外面から左側板３２４の外面までの幅は、雌コネクタ２０のフードハウジング２２０の右側板２２３の内面から左側板２２４の内面までの幅に略等しい。これにより、雄コネクタ３０が雌コネクタ２０と嵌合する際に、嵌合ハウジング３２０は雌コネクタ２０のフードハウジング２２０とコアハウジング２１０の間の間隙に挿入されることが可能となる。
【００３２】
雄端子（図示せず）は雄コネクタ３０の基部から嵌合ハウジング３２０のコアハウジング受入開口３４０内に後方に向けて突出し、雄コネクタ３０が雌コネクタ２０と嵌合する際に、雌コネクタ２０のコアハウジング２１０の雄端子挿入口２１６に挿入され、雌端子と接触される。
【００３３】
嵌合ハウジング３２０の底板３２２には、凹部３２２１が前後方向に沿って形成される。凹部３２２１は、雌コネクタ２０のリブ２２８の形状に対応しており、底板３２２の下面側にリブ２２８を受け入れ可能となるように上方に向かって窪んでいる。この凹部３２２１は、リブ２２８の位置に対応して、嵌合ハウジング３２０の底板３２２の、幅方向の中央部分に形成される。さらに、図４に示すように、凹部３２２１は、雌コネクタ２０のキー突起２２９をも受け入れ可能なように、幅方向にある程度の広がりをもって形成されてもよい。図４では、凹部３２２１が嵌合ハウジング３２０の底板３２２の、幅方向の中央部分から左側板３２４側に向けて幅広に形成されている。なお、リブ２２８に対応する凹部３２２１とキー突起２２９を受け入れるための凹部は別々に形成されてもよい。
【００３４】
上記説明した雌コネクタ２０において、雄コネクタ３０との嵌合が行われる前の状態で、例えばフードハウジング２２０の底板２２２に外力が加わったとする。すると、底板２２２は外力によってコアハウジング２１０側に向かって撓み始める。しかしながら、底板２２２に設けられたリブ２２８の上端がコアハウジング２１０の下面２１２に当接することにより、底板２２２がコアハウジング２１０に向けてそれ以上変形することが抑制される。
【００３５】
［第1変形実施形態］
次に、第1変形実施形態の雌コネクタ２０Ａを、図５、図６を参照して説明する。なお、図５は、本発明の第１変形実施形態の雌コネクタ２０Ａの外観斜視図であり、図６（Ａ）は、図５の雌コネクタ２０Ａの、コネクタ嵌合側から見た場合の正面図であり、図６（Ｂ）は、図６（Ａ）のＢ−Ｂ線断面図である。なお、第1変形実施形態の雌コネクタ２０Ａは、上記実施形態の雌コネクタ２０とは、リブの形成される位置が異なるだけで、他の部分の構成は略同じであるため、同一の構成部材には同一の参照符号を付与し、詳細な説明は省略するものとする。
【００３６】
図５において、フードハウジング２２０の底板２２２の上面において、幅方向の中央部には、上記実施形態において形成されていたリブは存在しない。その代わりに、コアハウジング２１０の下面２１２にリブ２２８Ａが形成されている。このリブ２２８Ａは、コアハウジング２１０の下面２１２の幅方向の中央部に、前後方向に沿って、フードハウジング２２０の底板２２２の上面に向けて所定高さ突出している。リブ２２８Ａの高さはフードハウジング２２０の底板２２２の上面に達しない高さ、つまりリブ２２８Ａの下端とフードハウジング２２０の上面の間に間隙が形成される高さとされる。
【００３７】
フードハウジング２２０の底板２２２に外力が加わった際に、底板２２２は外力によってコアハウジング２１０側に向かって撓み始める。しかしながら、フードハウジング２２０の底板２２２の上面が、コアハウジング２１０に形成されたリブ２２８Ａの下端に当接することにより、底板２２２がコアハウジング２１０に向けてそれ以上変形することが抑制される。
【００３８】
［第２変形実施形態］
次に、第２変形実施形態の雌コネクタ２０Ｂを、図７、図８を参照して説明する。なお、図７は、本発明の第２変形実施形態の雌コネクタ２０Ｂの外観斜視図であり、図８（Ａ）は、図７の雌コネクタ２０Ｂの、コネクタ嵌合側から見た場合の正面図であり、図８（Ｂ）は、図８（Ａ）のＢ−Ｂ線断面図である。なお、第２変形実施形態の雌コネクタ２０Ｂは、上記実施形態の雌コネクタ２０および上記第１変形実施形態の雌コネクタ２０Ａとは、リブの形成される位置が異なるだけで、他の部分の構成は略同じであるため、同一の構成部材には同一の参照符号を付与し、詳細な説明は省略するものとする。
【００３９】
図７において、フードハウジング２２０の底板２２２の上面には、前後方向に沿って、コアハウジング２１０の対向する部分、つまり下面２１２に向けて所定高さ突出したリブ２２８Ｂが設けられる。リブ２２８Ｂは、フードハウジング２２０の底板２２２の上面の、幅方向における中央部に形成される。上述の図１〜図４において説明された実施形態におけるリブ２２８は、フードハウジング２２０の前後方向における中間部分からフード前端面２２７に達する位置まで形成されているのに対し、本第２変形実施形態の雌コネクタ２０Ｂのリブ２２８Ｂは、フードハウジング２２０の前後方向における中間部分からコアハウジング２１０の前端面２１５に達する位置までのみに形成されている。これにより、雌ハウジング２００を形成する樹脂の量を低減できる。
【００４０】
フードハウジング２２０の底板２２２に外力が加わった場合、底板２２２が外力によってコアハウジング２１０側に向かって撓み始める。しかしながら、上述の実施形態の場合と同様に、底板２２２に設けられたリブ２２８Ｂの上端がコアハウジング２１０の下面２１２に当接することにより、底板２２２がコアハウジング２１０に向けてそれ以上変形することが抑制される。
【００４１】
［第３変形実施形態］
次に、第３変形実施形態の雌コネクタ２０Ｃを、図９、図１０を参照して説明する。なお、図９は、本発明の第３変形実施形態の雌コネクタ２０Ｃの外観斜視図であり、図１０（Ａ）は、図９の雌コネクタ２０Ｃの、コネクタ嵌合側から見た場合の正面図であり、図１０（Ｂ）は、図１０（Ａ）のＢ−Ｂ線断面図であり、図１０（Ｃ）は、図１０（Ａ）のＣ−Ｃ線断面図である。
【００４２】
第３変形実施形態の雌コネクタ２０Ｃは、上記実施形態の雌コネクタ２０とは、基本的な構造は同じであるが、フードハウジングの内側にコアハウジングが２つ設けられている点が相違している。雌コネクタ２０Ｃは、２つのコアハウジング２１０Ｃ１、２１０Ｃ２、および２つのコアハウジング２１０Ｃ１、２１０Ｃ２の周囲を包囲するフードハウジング２２０Ｃより構成される。フードハウジング２２０Ｃは、上述の実施形態と同様に、上板２２１Ｃ、底板２２２Ｃ、右側板２２３Ｃ、左側板２２４Ｃによって形成された直方体形状の筒状体であり、後部が後壁２２５Ｃにより閉鎖され、前側が開口部２２６Ｃにより開口している。
【００４３】
２つのコアハウジング２１０Ｃ１、２１０Ｃ２が幅方向に並んだ状態でフードハウジング２２０Ｃの後壁２２５Ｃから開口部２２６Ｃに向かって前方向に所定長さで突出している。それぞれのコアハウジング２１０Ｃ１、２１０Ｃ２は、図１０（Ａ）に示すように正面視で幅方向に若干長尺な長方形状であり、互いの間に間隙２２０Ｓを挟んで相対している。それぞれのコアハウジング２１０Ｃ１、２１０Ｃ２の構成は、上述の実施形態のコアハウジング２１０と略同じ構成であるので、詳細な説明を省略する。なお、それぞれのコアハウジング２１０Ｃ１、２０１Ｃ２にはそれぞれ２本の雌端子が装着されている（図示せず）。
【００４４】
フードハウジング２２０Ｃの底板２２２Ｃの上面には、前後方向に沿って、リブ２２８Ｃ１、２２８Ｃ２が設けられる。これらのリブ２２８Ｃ１、２２８Ｃ２は、フードハウジング２２０Ｃの底板２２２Ｃの上面の、幅方向における、コアハウジング２１０Ｃ１、２１０Ｃ２のそれぞれ下方に設けられ、コアハウジング２１０Ｃ１、２１０Ｃ２の対向する部分、つまり下面２１２Ｃ１、２１２Ｃ２に向けてそれぞれ所定高さ突出する。それぞれのリブ２２８Ｃ１、２２８Ｃ２の高さは、コアハウジング２１０Ｃ１、２１０Ｃ２の下面２１２Ｃ１、２１２Ｃ２に達しない高さ、つまりリブ２２８Ｃ１、２２８Ｃ２の上端とコアハウジング２１０Ｃ１、２１０Ｃ２の下面２１２Ｃ１、２１２Ｃ２の間に間隙が形成される高さとされる。
【００４５】
なお、それぞれのリブ２２８Ｃ１、２２８Ｃ２は、それぞれのコアハウジング２１０Ｃ１、２１０Ｃ２に対して、幅方向における中心側に形成されることが好ましい。また、本第３変形実施形態のリブ２２８Ｃ１、２２８Ｃ２は、フードハウジング２２０Ｃの後壁２２５Ｃからコアハウジング２１０Ｃ１、２１０Ｃ２の前端面２１５Ｃ１、２１５Ｃ２に達する位置までのみに形成されている。
【００４６】
フードハウジング２２０Ｃの底板２２２Ｃに外力が加わった場合、底板２２２Ｃが外力によってコアハウジング２１０Ｃ１、２１０Ｃ２側に向かって撓み始める。しかしながら、上述の実施形態の場合と同様に、底板２２２Ｃに設けられたリブ２２８Ｃ１、２２８Ｃ２の上端がコアハウジング２１０Ｃの下面２１２Ｃ１、２１２Ｃ２に当接することにより、底板２２２Ｃがコアハウジング２１０Ｃに向けてそれ以上変形することが抑制される。
【００４７】
以上、本発明の実施形態、および変形実施形態のコネクタ組立体について説明した。
なお、上記実施形態および変形実施形態においては、それぞれのリブをフードハウジングの底板、あるいはコアハウジングの下面に設けた例について説明したが、フードハウジングの上板の下面からコアハウジングの上面に向けて突出するようにしてもよいし、コアハウジングの上面からフードハウジングの上板の下面に向けて突出するようにしてもよい。
【００４８】
さらに、上記の実施形態においては、フードハウジングあるいはコアハウジングの上下方向にリブが形成される例を説明したが、本発明はそれに限定されず、リブをフードハウジングあるいはコアハウジングの幅方向に突出するように形成してもよい。さらに、リブを、フードハウジングの底板と上板の両方、あるいはコアの上面、下面の両方に形成してもよい。また、リブを、フードハウジングとコアの両方から、互いの間に雄ハウジングが挿入されるための間隙が間に残るように、互いに対向するように突出させてもよい。
【符号の説明】
【００４９】
１０    コネクタ組立体
２０、２０Ａ、２０Ｂ、２０Ｃ    雌コネクタ
３０    雄コネクタ
２００    雌ハウジング
２１０、２１０Ｃ、２１０Ｃ１、２１０Ｃ２    コアハウジング
２１１    上面
２１２、２１２Ｃ１    下面
２１３    右側面
２１４    左側面
２１５、２１５Ｃ１、２１５Ｃ２    前端面
２１６    雄端子挿入口
２２０、２２０Ｃ    フードハウジング
２２０Ｓ    間隙
２２１、２２１Ｃ    上板
２２２、２２２Ｃ    底板
２２３、２２３Ｃ    右側板
２２４、２２４Ｃ    左側板
２２５、２２５Ｃ    後壁
２２６、２２６Ｃ    開口部
２２７    フード前端面
２２８、２２８Ａ、２２８Ｂ、２２８Ｃ１、２２８Ｃ２    リブ
２２９    キー突起
２３０    導線
２４０    半嵌合検出機構
３００    雄ハウジング
３１０    基部
３２０    嵌合ハウジング
３２１    上板
３２２    底板
３２３    右側板
３２４    左側板
３３０    導線
３４０    コアハウジング受入開口
３２２１    凹部
【図１】
2020030987.tif 000003
【図２】
2020030987.tif 000004
【図３】
2020030987.tif 000005
【図４】
2020030987.tif 000006
【図５】
2020030987.tif 000007
【図６】
2020030987.tif 000008
【図７】
2020030987.tif 000009
【図８】
2020030987.tif 000010
【図９】
2020030987.tif 000011
【図１０】
2020030987.tif 000012